【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
少なくとも１つのカラーマッピング機能に応じてビデオ信号をマップ済みビデオ信号へとカラーマッピングする方法であって、
前記ビデオ信号の色符号化方式及び前記マップ済みビデオ信号の色符号化方式に応じて少なくとも１つの黒点オフセットを決定することと、
前記マップ済みビデオ信号を得るために、前記少なくとも１つの黒点オフセット及び前記少なくとも１つのカラーマッピング機能を前記ビデオ信号に適用することと
を含む、方法。
【請求項２】
前記ビデオ信号の前記色符号化方式及び前記マップ済みビデオ信号の前記色符号化方式の少なくとも１つが、ビデオ信号の色成分の種類及び前記色成分の範囲によって定められる、請求項１に記載の方法。
【請求項３】
前記色成分の種類が、ＲＧＢ及びＹＣｂＣｒを含む色成分の１組の種類に属する、請求項２に記載の方法。
【請求項４】
前記色成分の前記範囲が、フルレンジ及び正規レンジを含む１組の範囲に属する、請求項２又は３に記載の方法。
【請求項５】
前記ビデオ信号の前記色符号化方式及び前記マップ済みビデオ信号の前記色符号化方式に応じて少なくとも１つの黒点オフセットを決定することが第１の黒点オフセット及び第２の黒点オフセットを決定することを含み、前記少なくとも１つの黒点オフセット及び前記少なくとも１つのカラーマッピング機能を適用することが、前記少なくとも１つのカラーマッピング機能の前に前記第１の黒点オフセットを適用すること、及び前記少なくとも１つのカラーマッピング機能の後に前記第２の黒点オフセットを適用することを含む、請求項１乃至４の何れか一項に記載の方法。
【請求項６】
前記第１の黒点オフセットを適用する前に少なくとも第１の一次元マッピング機能を適用すること、及び前記第２の黒点オフセットを適用した後に少なくとも第２の一次元マッピング機能を適用することを更に含む、請求項５に記載の方法。
【請求項７】
前記ビデオ信号の前記色符号化方式が、前記ビデオ信号のルマ及びクロマ信号を導出する際に使用される行列係数（matrix_coeffs）と前記ビデオ信号の前記ルマ及びクロマ信号の黒レベル及び範囲（video_full_range_flag）とに応じて明らかにされる、請求項１乃至６の何れか一項に記載の方法。
【請求項８】
前記マップ済みビデオ信号の前記色符号化方式が、前記マップ済みビデオ信号のルマ及びクロマ信号を導出する際に使用される行列係数（colour_remap_matrix_coefficients）と前記マップ済みビデオ信号の前記ルマ及びクロマ信号の黒レベル及び範囲（colour_remap_full_range_flag）とに応じて決定される、請求項１乃至７の何れか一項に記載の方法。
【請求項９】
ビデオ信号の色符号化方式及びマップ済みビデオ信号の色符号化方式に応じて少なくとも１つの黒点オフセットを決定することと、
前記マップ済みビデオ信号を得るために、前記少なくとも１つの黒点オフセット及び少なくとも１つのカラーマッピング機能を前記ビデオ信号に適用することと、
を行うように構成されたプロセッサを少なくとも含む、少なくとも１つのカラーマッピング機能に応じてビデオ信号をマップ済みビデオ信号へとカラーマッピングする装置。
【請求項１０】
前記ビデオ信号の前記色符号化方式及び前記マップ済みビデオ信号の前記色符号化方式の少なくとも１つが、ビデオ信号の色成分の種類及び前記色成分の範囲によって定められる、請求項９に記載の装置。
【請求項１１】
前記色成分の種類が、ＲＧＢ及びＹＣｂＣｒを含む色成分の１組の種類に属する、請求項１０に記載の装置。
【請求項１２】
前記色成分の前記範囲が、フルレンジ及び正規レンジを含む１組の範囲に属する、請求項１０又は１１に記載の装置。
【請求項１３】
前記ビデオ信号の前記色符号化方式及び前記マップ済みビデオ信号の前記色符号化方式に応じて少なくとも１つの黒点オフセットを決定することが第１の黒点オフセット及び第２の黒点オフセットを決定することを含み、前記少なくとも１つの黒点オフセット及び前記少なくとも１つのカラーマッピング機能を適用することが、前記少なくとも１つのカラーマッピング機能の前に前記第１の黒点オフセットを適用すること、及び前記少なくとも１つのカラーマッピング機能の後に前記第２の黒点オフセットを適用することを含む、請求項９乃至１２の何れか一項に記載の装置。
【請求項１４】
前記第１の黒点オフセットを適用する前に少なくとも第１の一次元マッピング機能を適用すること、及び前記第２の黒点オフセットを適用した後に少なくとも第２の一次元マッピング機能を適用することを更に含む、請求項６に記載の装置。
【請求項１５】
前記ビデオ信号の前記色符号化方式が、前記ビデオ信号のルマ及びクロマ信号を導出する際に使用される行列係数（matrix_coeffs）と前記ビデオ信号の前記ルマ及びクロマ信号の黒レベル及び範囲（video_full_range_flag）とに応じて決定される、請求項９乃至１４の何れか一項に記載の装置。
【請求項１６】
前記マップ済みビデオ信号の前記色符号化方式が、前記マップ済みビデオ信号のルマ及びクロマ信号を導出する際に使用される行列係数（colour_remap_matrix_coefficients）と前記マップ済みビデオ信号の前記ルマ及びクロマ信号の黒レベル及び範囲（colour_remap_full_range_flag）とに応じて決定される、請求項９乃至１４の何れか一項に記載の装置。
【手続補正２】
【補正対象書類名】明細書
【補正対象項目名】００６３
【補正方法】変更
【補正の内容】
【００６３】
幾つかの実装形態を記載してきた。それでもなお、様々な修正が加えられ得ることが理解されよう。例えば、他の実装形態を作り出すために別の実装形態の要素が組み合わせられ、補われ、修正され、又は除去され得る。更に、開示した構造及びプロセスを他の構造及びプロセスが置換しても良く、その結果生じる実装形態が開示した実装形態と少なくともほぼ同じ結果を実現するために、少なくともほぼ同じ機能を少なくともほぼ同じやり方で実行することを当業者なら理解されよう。従って、これらの及び他の実装形態も本願によって予期される。
上記実施形態の一部又は全部は、以下の付記のようにも記載されうるが、以下には限られない。
（付記１）
ビデオ信号をカラーマッピングする方法であって、
−少なくとも１つのカラーマッピング機能を得ること（８）、
−前記ビデオ信号及びマップ済みビデオ信号の色符号化方式を決定すること（１０、１０００）、
−前記決定された色符号化方式に応じて前記少なくとも１つのオフセットを決定すること（１０、１０１０）、並びにマップ済みビデオ信号を得るために、前記カラーマッピング機能及び前記少なくとも１つのオフセットを前記ビデオ信号に適用すること（１２）
を含む、方法。
（付記２）
前記カラーマッピング機能が、少なくとも第１の一次元マッピング機能、行列、及び少なくとも第２の一次元マッピング機能で構成される、付記１に記載の方法。
（付記３）
少なくとも１つのオフセットを得ることが、第１のオフセット及び第２のオフセットを得ることを含む、付記１又は２に記載の方法。
（付記４）
マップ済みビデオ信号を得るために、前記カラーマッピング機能及び前記少なくとも１つのオフセットを前記ビデオ信号に適用することが、前記第１の一次元マッピング機能を適用し、前記第１のオフセットを加え、前記行列を適用し、前記第２のオフセットを加え、前記第２の一次元非線形マッピング機能を適用することを含む、付記３に記載の方法。
（付記５）
前記ビデオ信号の前記色符号化方式を決定することが、前記ビデオ信号のルマ及びクロマ信号を導出する際に使用される行列係数（matrix_coeffs）と前記ビデオ信号の前記ルマ及びクロマ信号の黒レベル及び範囲（video_full_range_flag）とを復号することを含み、前記マップ済みビデオ信号の前記色符号化方式を決定することが、前記マップ済みビデオ信号のルマ及びクロマ信号を導出する際に使用される行列係数（colour_remap_matrix_coefficients）と前記マップ済みビデオ信号の前記ルマ及びクロマ信号の黒レベル及び範囲（colour_remap_full_range_flag）とを復号することを含む、付記１乃至４の何れか一項に記載の方法。
（付記６）
−少なくとも１つのカラーマッピング機能を得ること（８）、
−ビデオ信号及びマップ済みビデオ信号の色符号化方式を決定すること（１０、１０００）、
−前記決定された色符号化方式に応じて前記少なくとも１つのオフセットを決定すること（１０、１０１０）、並びに−マップ済みビデオ信号を得るために、前記カラーマッピング機能及び前記少なくとも１つのオフセットを前記ビデオ信号に適用すること（１２）
を行うように構成されたプロセッサを少なくとも含む、ビデオ信号をカラーマッピングする装置。
（付記７）
前記カラーマッピング機能が、少なくとも第１の一次元マッピング機能、行列、及び少なくとも第２の一次元マッピング機能で構成される、付記６に記載の装置。
（付記８）
少なくとも１つのオフセットを得ることが、第１のオフセット及び第２のオフセットを得ることを含む、付記６又は７に記載の装置。
（付記９）
マップ済みビデオ信号を得るために、前記カラーマッピング機能及び前記少なくとも１つのオフセットを前記ビデオ信号に適用することが、前記第１の一次元マッピング機能を適用し、前記第１のオフセットを加え、前記行列を適用し、前記第２のオフセットを加え、前記第２の一次元非線形マッピング機能を適用することを含む、付記８に記載の方法。
（付記１０）
前記得たビデオ信号の前記色符号化方式を決定することが、前記ビデオ信号のルマ及びクロマ信号を導出する際に使用される行列係数（matrix_coeffs）と前記ビデオ信号の前記ルマ及びクロマ信号の黒レベル及び範囲（video_full_range_flag）とを復号することを含み、前記マップ済みビデオ信号の前記色符号化方式を決定することが、前記マップ済みビデオ信号のルマ及びクロマ信号を導出する際に使用される行列係数（colour_remap_matrix_coefficients）と前記マップ済みビデオ信号の前記ルマ及びクロマ信号の黒レベル及び範囲（colour_remap_full_range_flag）とを復号することを含む、付記６乃至９の何れか一項に記載の装置。